(57)【要約】【課題】より速く作ることができ、強度がより高く、及びスプライスがより簡単なエンドレスロープを提供する。【解決手段】第一ストランド(12)を含むエンドレスロープ(10)、第一ストランド(12)は撚り合わされた第二ストランド(14)を含み、撚り合わされた第二ストランド(14)は、ロープヤーン(16)を含み、第一ストランド(12)は３、４、又は６の第二ストランド(14）が撚り合わされており、ロープ(10)は、少なくとも総ての第一ストランド(12)においてスプライスを含み、ロープ(10)は、好ましくは３、４、又は１＋６の第一ストランド(12)から撚られ、又は、８又は１２の第一ストランド(12)から編まれている。
2005528537.tif 000002
【特許請求の範囲】
【請求項１】
第一ストランドを含み、該第一ストランドは撚り合わされた第二ストランドを含み、該撚り合わされた第二ストランドはロープヤーンを含むエンドレスロープにおいて、第一ストランドが３、４又は６の第二ストランドヤーンから撚り合わされており、及び、少なくとも総ての第一ストランドにおいてスプライスを含むことを特徴とするエンドレスロープ。
【請求項２】
ロープが、３、４又は（１＋６）の第一ストランドから撚り合わされていることを特徴とする請求項１記載のエンドレスロープ。
【請求項３】
ロープが、８又は１２の第一ストランドから編まれていることを特徴とする請求項１記載のエンドレスロープ。
【請求項４】
ロープが、HMPEヤーンを含むことを特徴とする請求項１〜３のいずれか１項記載のエンドレスロープ。
【請求項５】
ロープの直径が20mmより大きいことを特徴とする請求項１〜４のいずれか１項記載のエンドレスロープ。
【請求項６】
ロープの長さが1000ｍより長いことを特徴とする請求項５記載のエンドレスロープ。
【発明の詳細な説明】
【技術分野】
【０００１】
本出願は、第一ストランドを含むエンドレスロープに関し、該第一ストランドは撚り合わされた第二ストランドを含み、該撚り合わされた第二ストランドはロープヤーンを含む。
【背景技術】
【０００２】
エンドレスロープの製造のためのロープの構成としては、編まれた第一ストランドからなり、該第一ストランはロープヤーンからなる、編まれたロープを記載する米国特許ＵＳ−Ａ−5901632号から公知である。該文献から、ロープの製造の間に、編まれる第一ストランドのリールが終わるときに、編まれた第一ストランドにスプライスを作ることによってエンドレスロープを製造することができる。
【０００３】
第一ストランドを含み、該第一ストランドは撚り合わされた第二ストランドを含み、該撚り合わされた第二ストランドはロープヤーンを含むロープは、米国特許ＵＳ−Ａ−4,170,921号から公知であり、該公報は、第一ストランドからなり、該第一ストランドは撚り合わされた第二ストランドからなり、該第二ストランドは撚られたロープヤーンから作られている、編まれたロープを記載する。該第一ストランドは、並列に撚り合わされた数個の第二ストランドからなる。該ロープは一般的に速く製造することができる。
【発明の開示】
【発明が解決しようとする課題】
【０００４】
しかし、該ロープの欠点は、エンドレスロープの製造には使用できないことである。これらのロープの製造においてヤーンのリールが終了する所では、相当な強度低下を伴うこと無く次のリールのヤーンと接続することができない。
【０００５】
本発明の目的はエンドレスロープを提供することである。
【課題を解決するための手段】
【０００６】
第一ストランドが３、４又は６の第二ストランドヤーンから撚り合わされており、及び、少なくとも総ての第一ストランドがスプライスを含む本発明に従うロープによって、本目的が達成可能であることを見出した。
【発明の効果】
【０００７】
本発明に従うロープの、米国特許ＵＳ−Ａ−5901632号のロープに比べた利点は、本発明に従うロープは、より速く作ることができ、強度がより高く、及びスプライスがより簡単である。
【発明を実施するための最良の形態】
【０００８】
エンドレスロープは、より詳細に後述するような方法で作ることができる。
【０００９】
数工程で作られるロープは、数種の構成要素を含む。その例は、撚り合わされた又は撚られていない線維（フィラメント）からなるヤーン又はストランドもしくはこれらの組合せであり、これらは撚り合わされた又は編まれた、ヤーン又はより薄いストランドからなることができる。
【００１０】
本発明に従うロープにおいて、第一のストランドが、互いに撚り合わされ又は編まれることができる。
【００１１】
ロープが撚り合わされている場合、ロープは好ましくは３、４又は（１＋６）の第一ストランドから撚られている。
【００１２】
ロープが編まれている場合、ロープは好ましくは８又は１２の第一ストランドから編まれている。
【００１３】
本発明に従うロープにおいて、第一のストランドは、３、４又は６の第二のストランドが撚り合わされている。
【００１４】
広く、第二のストランドは、最終的に得られるべきロープのサイズに依存して、数個の撚り合わされたロープヤーンを含み、それは、これらのストランド中で数個の層に分けることができる。
【００１５】
本発明に従うロープにおけるロープヤーンは、数個のファイバーを含む。ロープ中の該ファイバーは、平滑であるか又は撚られている。連続する構成要素の双方が撚りを含む場合、該撚りの方向は、好ましくは連続する構成要素間で反対方向である。
【００１６】
本発明に従うロープの利点は、ロープを使用している間にいくつかのストランドが損傷した場合でも、ロープ全体を取り外す必要なく新しくすることができるという事である。さらに、本発明に従うロープは、公知のロープよりも優れた耐磨耗性を有する。
【００１７】
エンドレスロープの製造における問題は、第一のストランドを巻いたリールの直径に限界があり、従って、第一ストランドの巻き取り長さが有限であり、ロープの製造の間にリールが空になることである。エンドレスロープの製造のために、今や、空になった第一ストランドの終端が、新たなリール上の第二ストランドの開始端と結合されなければならない。
【００１８】
本発明のロープについては、１番目のストランドの終端を２番目のストランドの開始端に、標準的なスプライス技術を適用してスプライスすることによって、今やこれは容易に行うことができる。第一ストランドの各々における繋ぎ部分に該スプライスを作ることによって、ロープの強度を顕著に損なうことなく、エンドレスロープを作ることができる。
【００１９】
直径20mm以上のロープは、ほとんど、数層に構成されたヤーンのストランドから作られる。ストランドは、通常、例えば３つのロープヤーンからなるコアと、その周囲の複数のロープヤーンからなる数層からなる。該ストランドでは、スプライスを作ることができない。従って、そのようなロープの長さは、編まれたロープのための編組機上の編用ボビンのボリューム又は撚り合わされたロープのためのロープ撚り機上のリールのボリュームに限定される。
【００２０】
本発明に従うロープの追加の利点は、その中でスプライスを作ることができるので、その厚みが長さの制限を伴わないことである。本発明は、従って、好ましくは20ｍｍより太い直径を有するエンドレスロープに関する。エンドレスロープの長さは、250ｍより長く、好ましくは1000ｍより長い。
【００２１】
図１は、本発明のロープの一態様を表し、12本のストランドが編まれたロープ(10)であり、４本のストランドがＳ−ツイストを有して撚り合わされた第一ストランド(12)からなる。第一ストランドは、Z-ツイストのロープヤーン(16)を撚り合わせた第二ストランド(14)からなる。通常、半分のストランドはS−ツイストからなり、残りの半分はZ-ツイストからなる。
【００２２】
該ロープの製造には、ロープヤーン(16)は、線維束から標準的な撚り機によって撚られることができる。その際、第二ストランド(14)がストランドベンチ上のロープヤーンの数本から、ロープヤーンの撚りと反対の方向に撚り合わされる。これらのストランドの４つが第一ストランド(12)を形成するように撚り合わされる。次いで、12本の第一ストランドがロープ(10)を形成するように編まれる。これは、第一ストランドで満たされたリールを12個有する編組機により行われる。エンドレスロープは、リールの１つが空になったとき、空のリール上の１番目の第一ストランドの終端と、満杯のリール上の２番目の第一ストランドの開始端とを接続し及び空のリールを満杯のリールで置き換えるとによって作ることができる。２つのストランドの端を接続することは、例えばBabara  Merry  及びJohn  Darwin著、スプライシングハンドブック、「TechniquesforModern and Traditional Ropes」、ISBN  0-87742-952-9に記載の公知のスプライス方法を適用するこによって行うことができる。
【００２３】
他の、より好ましい方法は、
ａ）１番目の第一ストランドの終端の一端が、夫々が第一及び第二の数の第二ストランドを含む第一及び第二部分に分けられ、第一部分は第二部分と比べて最大で１多い第二ストランドを有し、
ｂ）第一部分が一の側から、２番目の第一ストランドの解かれた部分（オープニング）であって、該オープニングは、一の側に第一の数の第二ストランドを有し、他の側に第二の数の第二ストランドを有し、第一及び第二の数の差が最大で１である、に挿入され（タック）、
ｃ）第二部分が他の側から２番目の第一ストランドのオープニングに挿入され、
ステップｂ）とｃ）が少なくとも３回、夫々３＋１回、繰り返され、ここで、２番目の第一ストランドの夫々のオープニングは、第一及び第二部分が、２番目の第一ストランド中の第二ストランドの少なくとも総てと１回交差し、及び、第一及び第二部分が、夫々の最後のオープニングで、２番目の第一ストランドと離れるように、分けられる。
【００２４】
この方法において、１番目の第一ストランドの一端が、夫々が第一及び第二の数の第二ストランドを含む第一及び第二部分に分けられ、第一部分は第二部分と比べて最大で１より多い第二ストランドを有する。これは、3−ストランドの第一ストランドは、２つの第二ストランドを有する第一部分と１つの第二ストランドのみ有する第二部分とに分けられることを意味する。4−ストランドの第一ストランドは、２つの第二ストランドを有する２つの部分に、6−ストランドの第一ストランドは３つの第二ストランドを有する２つの部分に分けられる。
【００２５】
１番目及び２番目の第一ストランドが夫々３つのストランドを有する場合、前記オープニングは、１の側に２つのストランドを及び他の側に１のストランドを有する。１番目及び２番目のロープが夫々４又は６つのストランドを有する場合、前記オープニングは、２又は３つのストランドを両方の側に有する。
【００２６】
第二部分は他の側から２番目の第一ストランドのオープニングに挿入され、これは１番目の第一ストランドの両方の部分が、異なる方向から２番目の第一ストランドのオープニングを通って挿入されることを意味する。
【００２７】
ステップｂ）とｃ）が少なくとも３回繰り返され、夫々３＋１回、繰り返され、ここで、２番目の第一ストランドの夫々のオープニングは、第一及び第二部分が、２番目の第一ストランド中の第二ストランドの少なくとも総てと１回交差し、及び、第一及び第二部分が、夫々の最後のオープニングで、２番目の第一ストランドと離れるように、分けられる。ステップｂ）とｃ）が繰り返される一連の工程は、得られるスプライスの効率に関し、何ら重要ではない。
【００２８】
このスプライスの利点は、この方法によれば相当速くスプライスを生成することができることである。
【００２９】
ロープは種々のヤーンから作ることができる。適するヤーンは、ポリエステル、ナイロン、ポリエチレン、ポリプロピレン、アラミド、ポリベンゾオキサゾール（PBO）及びDyneema（商標）又はSpectra（商標）として市販されている「ハイモジュラスポリエチレン（HMPE)」である。
【００３０】
本発明に従うエンドレスロープは、好ましくはHMPEヤーンを含む。
【００３１】
本発明は、下記の非限定的な実施例及び比較例によりさらに説明され、それらの例において第一ストランドが夫々撚られ及び編まれた。
【実施例１】
【００３２】
ロープ(1)を撚り合わされたストランド（３×１（８／1760ｄTex  Dyneema  SK-75、撚り長さ34mm及び重さ4.27g／ｍ)から構成した。ストランドの破壊強度は10797Nであった。Ratera  編組機で、これらのストランドから、ブレイド長さ８×直径の、12−ストランドの編まれたロープを作った。ロープの重さは54.6g／ｍであった。該ロープは77820Nの破壊強度を有した。
【００３３】
比較例A
ロープ(2)を編まれたストランド（８×１（３／1760ｄTex  Dyneema  SK-75）で10cmごとに12ピック及び重さ4.37ｇ／ｍを有するものから構成した。ストランドの破壊強度は9670Nであった。
Ratera  編組機で、これらのストランドから、ブレイド長さ８×直径の、12−ストランドの編まれたロープへと作った。ロープの重さは56g／ｍであった。該ロープは61740Nの破壊強度を有した。
ここから、撚り合わされた構造のストランドの強度は、編まれた構造のものよりも約15％高かったことが分かる。
撚り合わされた構造のストランドの強度は、編まれた構造のものよりも15％だけ大きいにも拘わらず、驚くことに、それから作られたロープの強度は、編まれた構造のものから作られたロープよりも２６％高かった。さらに、編まれたストランドを有するブレイドの構造伸びは、撚り合わされたストランドの場合に顕著に大きかった。
【実施例２】
【００３４】
ロープ(1)において、Babara  Merry  及びJohn  Darwin著、スプライシングハンドブック、「Techniques for ModernandTraditional Ropes」、ISBN  0-87742-952-9に記載されている標準的スプライスが作られた。スプライスをコーティング（LAGO  50、GOVIより、ベルギー国）に含浸し、それは、Dyneemaロープにおいて、未コートのスプライスよりもずっと短いスプライスの使用を可能とした。
ロープ(1)において、２つのタイプの終端接続を試験した。
ｉ）接続すべき２つのストランドの端を共にスプライスし、合計でタックを24個とし、そのうちの最後の３つを細くした。該スプライスの破壊強度は、67990Nであった。タックの数が27で、そのうちの最後の３つを細くした場合、破壊強度は81660Nであった。
ii）２つのストランドの端を互いに折り返して挿入することによって（スプライシングバック）互いに引っ掛け合う２つのループを作り、タックを16個とした。破壊強度は70550Nであった。
これは、中に挿入する（スプライスイン）接続は、最適に行われれば、即ち、充分な数のタックが作られれば、挿入接続（スプライスアップ）されたストランドの強度の損失をもたらさないことを示す。
しかし、接続を作るためにループが用いられれば、これは破壊強度の損失に帰結し、この接続は、12ストランド構成のブレイドの構造を邪魔し、それはブレイドを使用する観点から許容できない。
【図面の簡単な説明】
【００３５】
【図１】本発明のエンドレスロープを示す説明図である。
【図１】
2005528537.tif 000003
【国際調査報告】
2005528537.tif 000004
2005528537.tif 000005
2005528537.tif 000006